(57)【要約】【課題】  電気温水器の設置場所の環境に応じて、漏電遮断器の取付位置を容易に変更できるようにすると共に、漏電遮断器を確実に操作及び点検できるようにする。【解決手段】  電気温水部５０を保護する所定形状の筐体２０に、漏電遮断器２３を取付ける窓部を複数個所備えるものである。例えば、窓部１、２、３が、筐体２０における正面と両側面の所定位置に各１箇所ずつ設けられ、漏電遮断器２３が、３箇所の窓部１、２、３のうち、いずれか１つの窓部に取付けられ、かつ、当該窓部から操作可能に取付けられる。【選択図】    図２
2007285605.tif 000002
【特許請求の範囲】
【請求項１】
漏電遮断器を有した電気温水器であって、
電気温水部と、
前記電気温水部を保護する所定形状の筐体と、
前記筐体に前記漏電遮断器を取付ける窓部とを備え、
前記窓部は、複数個所設けられることを特徴とする電気温水器。
【請求項２】
前記窓部は、
前記筐体における正面と両側面の所定位置に設けられ、
前記漏電遮断器は、
前記窓部のうち、いずれか１つの当該窓部に取付けられ、かつ、当該窓部から操作可能に取付けられることを特徴とする請求項１に記載の電気温水器。
【請求項３】
前記窓部近傍に前記漏電遮断器を取付ける取付部材を備えることを特徴とする請求項１に記載の電気温水器。
【請求項４】
前記取付部材は、
前記漏電遮断器を固定している固定板が挿着可能な挿着枠を備え、
前記漏電遮断器は、
当該漏電遮断器が固定された当該固定板が前記挿着枠にスライドされて前記取付部材に挿着固定されることを特徴とする請求項３に記載の電気温水器。
【請求項５】
電気温水器に漏電遮断器を取付ける方法であって、
電気温水部を保護する所定形状の筐体に前記漏電遮断器を取付ける窓部を複数個所設け、
複数個所設けられた前記窓部から当該電気温水器の設置場所に応じて１つの窓部を選択し、
選択された当該窓部に前記漏電遮断器を取付けることを特徴とする電気温水器の漏電遮断器取付け方法。
【発明の詳細な説明】
【技術分野】
【０００１】
この発明は、狭隘敷地に設置する薄型電気温水器に適用可能な電気温水器、及びその漏電遮断器取付け方法に関するものである。
【０００２】
詳しくは、電気温水部を保護する所定形状の筐体に、漏電遮断器を取付ける窓部を複数個所備え、電気温水器の設置場所の環境に応じて、漏電遮断器の取付位置を容易に変更できるようにすると共に、漏電遮断器を確実に操作及び点検できるようにする。
【背景技術】
【０００３】
従来、電気温水器には、漏電遮断器が電気温水器本体正面の制御装置付近に固定されて設置されていることが多い。この漏電遮断器は、一線地絡電流を検出して電気温水器に供給される電気を遮断する。この漏電遮断器には、電源レバーが備えられており、この電源レバーにより漏電遮断器をスイッチＯＮ又はスイッチＯＦＦする。また、漏電遮断器には、この漏電遮断器が正常に動作しているかを試験するテストボタンが備えられている。例えば、漏電遮断器の電源レバーがスイッチＯＮのときに、このテストボタンが押されると漏電遮断器の電源レバーがスイッチＯＦＦとなって電気が遮断され、この漏電遮断器が正常に動作していることを確認できる。
【０００４】
例えば、家庭用の電気温水器が、家とブロック塀との間の狭隘敷地に設置されている場合、所有者は、電気温水器の正面に取付けられた漏電遮断器の電源レバーやテストボタンを狭間から操作及び点検する。
【０００５】
このような従来例に関連して、特許文献１には、電気温水器など屋外に設置する機器の操作部が設けられている筐体小窓の蓋構造体が開示されている。この蓋構造体によれば、両端に突起状の軸を有したフタベースと、突起状の軸に嵌合し開閉自在としたフタカバーとを備え、このフタカバーには、突起状の軸から着脱自在な開口部が設けられている。これにより、フタカバーを開くときに開位置の限界となるまで開けると、突起状の軸から開口部を利用してフタカバーが外れ、支軸部の破損を防ぐことができる。
【０００６】
また、特許文献２には、電気温水器の操作部材の取付け方法が開示されている。この取付け方法によれば、円弧状スリット孔を隣接配置した筐体と、操作部材本体と、通信ケーブルと、取付け金具と、ブッシングと、ビスを有し、円弧状スリット孔は隣接部分を切断することでブッシングが装着できる略丸状の孔を形成し、操作部材本体と通信ケーブルは取付け金具に保持され、この取付け金具は筐体にビスにて取り付けることで、略丸状の孔に装着したブッシングを固定するよう構成されている。これにより、電気温水器に操作部材を取り付けない場合においても筐体には通信ケーブル用の丸孔でなく、より開口面積の小さい円弧状スリット孔だけが開いているために雨水の進入は少なく、電気温水器の損傷を防ぐ事ができる。
【０００７】
【特許文献１】特開２００３−１１４０５８号公報（第３頁、第１図）
【特許文献２】特開２００３−１１４０５９号公報（第２頁、第１図）
【発明の開示】
【発明が解決しようとする課題】
【０００８】
ところで、従来例及び特許文献１、２によれば、電気温水器には、漏電遮断器が電気温水器本体正面の制御装置付近に固定して設置されていることが多い。このため、電気温水器本体正面側に近接してブロック塀やフェンス柵があった場合、電気温水器と塀や柵との間が狭くなり、漏電遮断器の電源レバーやテストボタンなどの操作や目視確認が難しくなる。従って、所有者による電気温水器の日常点検や、販売工事店の定期点検にも支障をきたすことが予想される。
【０００９】
そこで、本発明は、このような従来例に係る課題を解決したものであって、本体機器の設置場所の環境に応じて、漏電遮断器の取付位置を容易に変更できるようにすると共に、漏電遮断器を確実に操作及び点検できるようにした電気温水器、及びその漏電遮断器取付け方法を提供することを目的とする。
【課題を解決するための手段】
【００１０】
上述した課題を解決するために、本発明に係る請求項１に記載の電気温水器は、漏電遮断器を有した電気温水器であって、電気温水部と、前記電気温水部を保護する所定形状の筐体と、前記筐体に前記漏電遮断器を取付ける窓部とを備え、前記窓部は、複数個所設けられることを特徴とするものである。
【００１１】
本発明に係る電気温水器によれば、電気温水部を保護する所定形状の筐体に、漏電遮断器を取付ける窓部を複数個所備える。例えば、窓部は、筐体における正面と両側面の所定位置に設けられ、漏電遮断器は、窓部のうち、いずれか１つの窓部に取付けられ、かつ、窓部から操作可能に取付けられる。これにより、電気温水器の設置場所の環境に応じて、漏電遮断器の取付位置を容易に変更できると共に、漏電遮断器を確実に操作及び点検できるようになる。
【００１２】
上述した課題を解決するために、本発明に係る請求項５に記載の電気温水器の漏電遮断器取付け方法は、電気温水器に漏電遮断器を取付ける方法であって、電気温水部を保護する所定形状の筐体に前記漏電遮断器を取付ける窓部を複数個所設け、複数個所設けられた前記窓部から当該電気温水器の設置場所に応じて１つの窓部を選択し、選択された当該窓部に前記漏電遮断器を取付けることを特徴とするものである。
【００１３】
本発明に係る電気温水器の漏電遮断器取付け方法によれば、電気温水器の設置場所の環境に応じて、漏電遮断器の取付位置を容易に変更できるようになる。従って、漏電遮断器を確実に操作及び点検できるようになる。
【発明の効果】
【００１４】
本発明に係る電気温水器、及びその漏電遮断器取付け方法によれば、電気温水部を保護する所定形状の筐体に、漏電遮断器を取付ける窓部を複数個所備えるものである。
【００１５】
この構成によって、電気温水器の設置場所の環境に応じて、漏電遮断器の取付位置を容易に変更できるようになる。従って、漏電遮断器を確実に操作及び点検できるようになる。
【発明を実施するための最良の形態】
【００１６】
続いて、本発明に係る電気温水器、及びその漏電遮断器取付け方法について、図面を参照しながら説明をする。
【実施例１】
【００１７】
図１は、本発明に係る第１の実施例としての薄型電気温水器１００の構成例を示す概念図である。図１に示す薄型電気温水器１００は、家庭用の薄型電気温水器である。この薄型電気温水器１００は、家１０とブロック塀１１との間の狭隘敷地に設置されている。家１０とブロック塀１１との間の距離Ｌ１は、６０ｃｍ程度である。この距離Ｌ１に対して、薄型電気温水器１００の幅Ｌ２は、５０ｃｍ程度である。
【００１８】
従って、薄型電気温水器１００の正面とブロック塀１１との間の距離Ｌ３は、１０ｃｍ程度になる。薄型電気温水器１００の両側面には、障害物などは存在していない。このため、通常、薄型電気温水器１００の正面に取付けられて出荷されている漏電遮断器２３（図２（ｂ）に示す）の取付位置を薄型電気温水器１００の両側面のいずれか一方側へ変更する。
【００１９】
薄型電気温水器１００は、電気温水部５０と、電気温水部５０を保護する所定形状の筐体２０と、筐体２０に漏電遮断器２３を取付ける窓部とを備え、この窓部は、複数個所設けられる。これらの窓部は、第１の漏電遮断器点検用の窓部１、第２の漏電遮断器点検用の窓部２、及び第３の漏電遮断器点検用の窓部３である。
【００２０】
例えば、これらの窓部１、２、３は、筐体２０における正面と両側面の所定位置に各１箇所ずつ設けられ、漏電遮断器２３は、３箇所の窓部１、２、３のうち、いずれか１つの窓部に取付けられ、かつ、当該窓部から操作可能に取付けられる。
【００２１】
具体的には、薄型電気温水器１００の正面とブロック塀１１との間の距離Ｌ３は、１０ｃｍ程度であり、薄型電気温水器１００の両側面には、障害物が存在しないので、通常、窓部１に取付けられて出荷されている漏電遮断器２３が窓部２又は３に取付られる。これにより、薄型電気温水器１００の設置場所の環境に応じて、漏電遮断器２３の取付位置を容易に変更できるようになる。従って、漏電遮断器２３を確実に操作及び点検できるようになる。
【００２２】
例えば、薄型電気温水器１００を搬入した後に、例えば２００Ｖ配線接続のための資格などを保持した作業員が薄型電気温水器１００本体正面の外板をはずして電気作業をおこなうので、この作業と同時に、窓部１に設置された漏電遮断器２３が窓部２又は３に取付けられる。これにより、現場の作業労は若干増加するが、コストアップには繋がらないようにできる。
【００２３】
図２（ａ）及び（ｂ）は、薄型電気温水器１００の構成例を示すＸ−Ｘ断面図である。図２（ｂ）に示す薄型電気温水器１００は、図２（ａ）のＸ−Ｘ切断面であり、筐体２０及び電気温水部５０を備える。電気温水部５０は、温水タンク２１ａ、２１ｂ、受電ターミナル２２、漏電遮断器２３、及び制御基板２４を有する。
【００２４】
温水タンク２１ａは、給水パイプに接続され、温水タンク２１ｂは、温水タンク２１ａ及び給湯パイプに接続されている。温水タンク２１ａ、２１ｂは、ヒーター２５を備える。制御基板２４は、ヒーターリレー２６を備える。受電ターミナル２２は、外部電源に接続され、漏電遮断器２３、ヒーターリレー２６を介してヒーター２５へ電気を流す。
【００２５】
筐体２０には、窓部１、２、３が筐体２０における正面と両側面の所定位置に各１箇所ずつ設けられている。例えば、筐体２０正面の略中央には、窓部１が設けられ、筐体２０右側面の中央前方側には、窓部２が設けられ、筐体２０左側面の中央前方側には、窓部３が設けられている。これらの窓部１、２、３の窓形状は、漏電遮断器２３の操作面と略同じ大きさの長方形である。
【００２６】
漏電遮断器２３は、３箇所の窓部１、２、３のうち、いずれか１つの窓部に取付けられ、かつ、当該窓部から操作可能に取付けられる。通常、窓部１に漏電遮断器２３が取付けられて出荷され、図中の薄型電気温水器１００には、この窓部１に漏電遮断器２３が取付けられている。窓部２、３には、２点鎖線で漏電遮断器２３の取付け模様が示されている。
【００２７】
例えば、この窓部２、３近傍に漏電遮断器２３を取付ける取付部材の一例である漏電遮断器取付板２７を備え、この漏電遮断器取付板２７は、漏電遮断器取付部を有した折曲形状であり、スポット溶接（抵抗溶接）で筐体２０内側に固定されている。この漏電遮断器取付板２７は、漏電遮断器２３を固定している図４に示す固定板２９が挿着可能な挿着枠３０を備え、漏電遮断器２３は、この漏電遮断器２３が固定された固定板２９が挿着枠３０にスライドされて漏電遮断器取付板２７に挿着固定される。例えば、作業員は、筐体２０の前面側を取外し、窓部１に取付けられて出荷された漏電遮断器２３を、窓部２、又は３に筐体２０の内側から、漏電遮断器２３が固定された固定板２９を挿着枠３０にスライドさせて漏電遮断器取付板２７に挿着固定する。
【００２８】
漏電遮断器２３と受電ターミナル２２とを結線する電源線２８には、余長を持たせている。従って、漏電遮断器２３が窓部１、２、３のうち、いずれの窓部に取付けられても、電源線長は不足しない。また、漏電遮断器２３とヒーター２５とを結線する電線も同様にして余長を持たせているので、電線長が不足することはない。
【００２９】
これにより、薄型電気温水器１００の設置場所の環境に応じて、漏電遮断器２３の取付位置を容易に変更できるようになる。例えば、薄型電気温水器１００の設置場所が狭隘敷地であって薄型電気温水器１００の正面にブロック塀１１などが近接し、この間隔が１０ｃｍ程度の場合に、窓部２又は３を適時選択し、漏電遮断器２３の取付位置を容易に変更できるようになる。従って、所有者は、漏電遮断器２３の電源レバー３１やテストボタン３２を確実に操作及び点検できるようになる。
【００３０】
図３（ａ）及び（ｂ）は、薄型電気温水器１００の構成例を示すＹ−Ｙ断面図である。図３（ｂ）に示す薄型電気温水器１００は、図２（ａ）のＹ−Ｙ切断面であり、図３（ｂ）に示す筐体２０には、窓部１、２、３が筐体２０における正面と両側面の所定位置に各１箇所ずつ設けられている。例えば、筐体２０正面の略中央には、窓部１が設けられ、筐体２０右側面の中央前方側には、窓部２が設けられ、筐体２０左側面の中央前方側には、窓部３が設けられている。これらの窓部１、２、３の窓形状は、漏電遮断器２３の操作面と略同じ大きさの長方形である。
【００３１】
漏電遮断器２３は、３箇所の窓部１、２、３のうち、いずれか１つの窓部に取付けられ、かつ、当該窓部から操作可能に取付けられる。通常、窓部１に漏電遮断器２３が取付けられて出荷され、図中の薄型電気温水器１００には、窓部１に漏電遮断器２３が取付けられている。窓部２、３には、２点鎖線で漏電遮断器２３の取付け模様が示されている。
【００３２】
例えば、この窓部２、３近傍に漏電遮断器２３を取付ける漏電遮断器取付板２７を備え、この漏電遮断器取付板２７は、漏電遮断器取付部を有した折曲形状であり、スポット溶接で筐体２０内側に固定されている。漏電遮断器取付板２７は、漏電遮断器２３を固定している固定板２９が挿着可能な挿着枠３０を備え、漏電遮断器２３は、この漏電遮断器２３が固定された固定板２９が挿着枠３０にスライドされて漏電遮断器取付板２７に挿着固定される。例えば、作業員は、筐体２０の前面側を取外し、窓部１に取付けられて出荷された漏電遮断器２３を、窓部２、又は３に筐体２０の内側から、漏電遮断器２３が固定された固定板２９を挿着枠３０にスライドさせて漏電遮断器取付板２７に挿着固定する。
【００３３】
これにより、薄型電気温水器１００の設置場所の環境に応じて、漏電遮断器２３の取付位置を容易に変更できるようになる。
【００３４】
図４は、漏電遮断器２３の挿着固定例を示す説明図である。図４に示す漏電遮断器２３は、固定板２９に固定されている。例えば、固定板２９は、金属製の長方形状であり、漏電遮断器２３は、この固定板２９にネジなどで固定される。
【００３５】
漏電遮断器２３を取付ける漏電遮断器取付板２７は、窓部２、３近傍に備えられ、この漏電遮断器取付板２７は、漏電遮断器取付部を有した折曲形状であり、スポット溶接で筐体２０内側に固定されている。漏電遮断器取付板２７は、漏電遮断器２３を固定している固定板２９が挿着可能な挿着枠３０を備え、漏電遮断器２３は、この漏電遮断器２３が固定された固定板２９が挿着枠３０にスライドされて漏電遮断器取付板２７に挿着固定される。
【００３６】
これにより、薄型電気温水器１００の設置場所の環境に応じて、漏電遮断器２３を薄型電気温水器１００にスライドして着脱できるようになる。従って、所有者は、漏電遮断器２３の電源レバー３１やテストボタン３２を確実に操作及び点検できるようになる。
【００３７】
図５は、漏電遮断器２３の挿着脱例を示す説明図である。図５に示す漏電遮断器２３は、固定板２９に固定されている。
【００３８】
漏電遮断器２３を取付ける漏電遮断器取付板２７は、窓部２、３近傍に備えられており、この漏電遮断器取付板２７は、漏電遮断器２３が固定された固定板２９が挿着可能な挿着枠３０を有した折曲形状であり、スポット溶接で筐体２０内側に固定されている。
【００３９】
薄型電気温水器１００を設置する作業員は、漏電遮断器２３を漏電遮断器取付板２７に取付ける場合、固定板２９に固定された漏電遮断器２３をスライド方向Ａへスライドさせて漏電遮断器取付板２７の挿着枠３０に挿着固定する。また、電遮断器２３を漏電遮断器取付板２７から取外す場合、漏電遮断器取付板２７の挿着枠３０に挿着固定された漏電遮断器２３をスライド方向Ｂへスライドさせて漏電遮断器取付板２７の挿着枠３０から取外す。
【００４０】
このように、本発明に係る第１の実施例の薄型電気温水器１００及びその漏電遮断器取付け方法によれば、電気温水部５０を保護する所定形状の筐体２０に、漏電遮断器２３を取付ける窓部を複数個所備えるものである。
【００４１】
第１の実施例では、窓部１、２、３が、筐体２０における正面と両側面の所定位置に各１箇所ずつ設けられ、漏電遮断器２３が、３箇所の窓部１、２、３のうち、いずれか１つの窓部に取付けられ、かつ、当該窓部から操作可能に取付けられる。
【００４２】
従って、薄型電気温水器１００の設置場所の環境に応じて、漏電遮断器２３の取付位置を容易に変更できるようになる。これにより、漏電遮断器２３を確実に操作及び点検できるようになる。
【実施例２】
【００４３】
図６（ａ）及び（ｂ）は、は、本発明に係る第２の実施例としての薄型電気温水器２００の構成例を示すＺ−Ｚ断面図である。図６（ｂ）に示す薄型電気温水器２００は、図６（ａ）のＺ−Ｚ切断面であり、筐体４０及び電気温水部５０を備える。電気温水部５０は、温水タンク２１ａ、２１ｂ、受電ターミナル２２、漏電遮断器２３、及び制御基板２４を有する。
【００４４】
温水タンク２１ａは、給水パイプに接続され、温水タンク２１ｂは、温水タンク２１ａ及び給湯パイプに接続されている。温水タンク２１ａ、２１ｂは、ヒーター２５を備える。制御基板２４は、ヒーターリレー２６を備える。受電ターミナル２２は、外部電源に接続され、漏電遮断器２３、ヒーターリレー２６を介してヒーター２５へ電気を流す。
【００４５】
筐体４０には、第１の漏電遮断器点検用の窓部４１、第２の漏電遮断器点検用の窓部４２、第３の漏電遮断器点検用の窓部４３が筐体４０における正面と両側面の所定位置に設けられている。例えば、筐体４０正面の略中央には、窓部４１が設けられ、筐体４０右側面の中央前方側には、窓部４２が設けられ、筐体４０左側面の中央前方側には、窓部４３が設けられている。これらの窓部４１、４２、４３の窓形状は、漏電遮断器取付板２７の漏電遮断器取付面と略同じ大きさの長方形である。
【００４６】
漏電遮断器２３は、３箇所の窓部４１、４２、４３のうち、いずれか１つの窓部に取付けられ、かつ、当該窓部から操作可能に取付けられる。通常、窓部４１に漏電遮断器２３が取付けられて出荷され、図中の薄型電気温水器２００には、窓部４１に漏電遮断器２３が取付けられている。窓部４２、４３には、２点鎖線で漏電遮断器２３の取付け模様が示されている。
【００４７】
例えば、この窓部４２、４３近傍に漏電遮断器２３を取付ける漏電遮断器取付板２７を備え、この漏電遮断器取付板２７は、漏電遮断器取付部を有した折曲形状であり、筐体４０の外側から窓部４２、４３の窓枠に嵌合されて、ネジなどで筐体４０に固定されている。固定後、窓枠の上部付近に蝶番４４が取付けられ、この蝶番４４に窓枠サイズの透明カバー４５が回動自在に取付けられている。これにより、漏電遮断器２３を雨や塵から守れるようになる。
【００４８】
漏電遮断器取付板２７は、漏電遮断器２３を固定している固定板２９が挿着可能な挿着枠３０を備え、漏電遮断器２３は、この漏電遮断器２３が固定された固定板２９が挿着枠３０にスライドされて漏電遮断器取付板２７に挿着固定される。例えば、作業員は、透明カバー４５を回動させて開き、窓部４１から取外した漏電遮断器２３を、窓部４２又は４３に筐体４０の外側から、漏電遮断器２３が固定された固定板２９を挿着枠３０にスライドさせて漏電遮断器取付板２７に挿着固定する。
【００４９】
漏電遮断器２３と受電ターミナル２２とを結線する電源線２８には、余長を持たせている。従って、漏電遮断器２３が窓部４１、４２、４３のうち、いずれの窓部に取付けられても、電源線長は不足しない。また、漏電遮断器２３とヒーター２５とを結線する電線も同様にして余長を持たせているので、電線長が不足することはない。
【００５０】
漏電遮断器２３を操作する場合、所有者は、蝶番４４を軸にしてこの透明カバー４５を回動させて漏電遮断器２３の電源レバー３１やテストボタン３２を操作し、操作後、透明カバー４５を元の閉じた状態に戻しておく。
【００５１】
第１の実施例に比べて、第２の実施例では、筐体４０の外側から漏電遮断器２３を漏電遮断器取付板２７に取付けるので、漏電遮断器２３を漏電遮断器取付板２７に取付け易くなっている。また、透明カバー４５が取付けられているので、雨や塵が筐体内部へ入り込むのを防ぐことができる。
【００５２】
このように、本発明に係る第２の実施例の薄型電気温水器２００及びその漏電遮断器取付け方法によれば、電気温水部５０を保護する所定形状の筐体４０に、漏電遮断器２３を取付ける窓部を複数個所備えるものである。
【００５３】
第２の実施例では、窓部４１、４２、４３が、薄型電気温水器２００の筐体４０における正面と両側面の所定位置に各１箇所ずつ設けられ、漏電遮断器２３が、３箇所の窓部４１、４２、４３のうち、いずれか１つの窓部に取付けられ、かつ、当該窓部から操作可能に取付けられる。
【００５４】
従って、薄型電気温水器２００の設置場所の環境に応じて、漏電遮断器２３の取付位置を容易に変更できるようになる。これにより、漏電遮断器２３を確実に操作及び点検できるようになる。
【００５５】
なお、漏電遮断器を有した井戸ポンプなどの電子機器にも適用可能である。例えば、井戸ポンプの筐体の前面及び両側面に窓部を設け、井戸ポンプの設置環境に応じて、漏電遮断器を井戸ポンプの筐体の前面又は側面の窓部に取付ける。
【産業上の利用可能性】
【００５６】
本発明は、狭隘敷地に設置する薄型電気温水器に適用して好適である。
【図面の簡単な説明】
【００５７】
【図１】本発明に係る第１の実施例としての薄型電気温水器１００の構成例を示す概念図である。
【図２】（ａ）及び（ｂ）は、薄型電気温水器１００の構成例を示すＸ−Ｘ断面図である。
【図３】（ａ）及び（ｂ）は、薄型電気温水器１００の構成例を示すＹ−Ｙ断面図である。
【図４】漏電遮断器２３の挿着固定例を示す説明図である。
【図５】漏電遮断器２３の挿着脱例を示す説明図である。
【図６】（ａ）及び（ｂ）は、本発明に係る第２の実施例としての薄型電気温水器２００の構成例を示すＺ−Ｚ断面図である。
【符号の説明】
【００５８】
１、４１  第１の漏電遮断器点検用の窓部（窓部）
２、４２  第２の漏電遮断器点検用の窓部（窓部）
３、４３  第３の漏電遮断器点検用の窓部（窓部）
２０、４０  筐体
２３  漏電遮断器
２７  漏電遮断器取付板（取付部材）
２９  固定板
３０  挿着枠
４４  蝶番
４５  透明カバー
５０  電気温水部
１００、２００  薄型電気温水器（電気温水器）
【図１】
2007285605.tif 000003
【図２】
2007285605.tif 000004
【図３】
2007285605.tif 000005
【図４】
2007285605.tif 000006
【図５】
2007285605.tif 000007
【図６】
2007285605.tif 000008